(57)【特許請求の範囲】
【請求項１】
吸収材料を有する吸収コアと、
前記吸収コアの肌対向面側に配置される第１肌面シートと、
前記第１肌面シートの肌対向面側に配置される第２肌面シートと、を備える吸収性物品であって、
前記第２肌面シートは、低目付部と、前記低目付部よりも目付が高い高目付部と、を有し、
前記低目付部と前記高目付部は、第１方向に沿ってそれぞれ延び、前記第１方向と直交する第２方向に交互に配置されており、
前記第１肌面シートは、前記吸収性物品の肌対向面側から視認可能な複数の着色部を有し、
前記着色部は、前記第１方向において間隔を空けて配置され、かつ前記第２方向において間隔を空けて配置されており、
前記着色部の前記第２方向の長さは、前記低目付部の前記第２方向の長さと前記高目付部の前記第２方向の長さとを合わせた合計長さに対する１/５０以上かつ合計長さに対する１/４以下であり、
前記着色部と前記低目付部とが重なる第１領域と、前記着色部と前記高目付部とが重なる第２領域と、を有する、吸収性物品。
【請求項２】
吸収材料を有する吸収コアと、
前記吸収コアの肌対向面側に配置される第１肌面シートと、
前記第１肌面シートの肌対向面側に配置される第２肌面シートと、を備える吸収性物品であって、
前記第２肌面シートは、低目付部と、前記低目付部よりも目付が高い高目付部と、を有し、
前記低目付部と前記高目付部は、第１方向に沿ってそれぞれ延び、前記第１方向と直交する第２方向に交互に配置されており、
前記第１肌面シートは、前記吸収性物品の肌対向面側から視認可能な複数の着色部を有し、
前記着色部は、前記第１方向において間隔を空けて配置され、かつ前記第２方向において間隔を空けて配置されており、
前記着色部の前記第２方向の長さは、前記低目付部の前記第２方向の長さと前記高目付部の前記第２方向の長さとを合わせた合計長さよりも短く、
前記着色部と前記低目付部とが重なる第１領域と、前記着色部と前記高目付部とが重なる第２領域と、を有し、 
前記着色部の前記第２方向の長さは、０．１ｍｍ以上０．５ｍｍ以下である、吸収性物品。
【請求項３】
前記複数の着色部は、破線状に配置されている、請求項１又は請求項２に記載の吸収性物品。
【請求項４】
前記高目付部は、前記吸収性物品の厚さ方向に突出する凸部を構成し、
前記低目付部は、前記厚さ方向に窪んでいる凹部を構成する、請求項１から請求項３のいずれかに記載の吸収性物品。
【請求項５】
前記低目付部の前記第２方向の長さは、前記着色部の前記第２方向の間隔よりも長い、請求項４に記載の吸収性物品。
【請求項６】
前記低目付部の前記第２方向の長さは、前記着色部の前記第２方向の長さよりも長い、請求項４又は請求項５に記載の吸収性物品。
【請求項７】
前記着色部の前記第１方向の長さは、前記着色部の前記第２方向の長さよりも長い、請求項４から請求項６のいずれかに記載の吸収性物品。
【請求項８】
前記着色部の前記第２方向の長さは、前記着色部の前記第２方向の間隔よりも短い、請求項１から請求項７のいずれかに記載の吸収性物品。
【請求項９】
前記第２肌面シートを構成する繊維の配向方向は、前記第１方向に沿う、請求項１から請求項８のいずれかに記載の吸収性物品。
【請求項１０】
前記複数の着色部は、前記吸収性物品の平面方向において千鳥状に配置されている、請求項１から請求項９のいずれかに記載の吸収性物品。
【請求項１１】
前記低目付部における前記第２肌面シートを構成する繊維の分布は、均一でなく、むらがある、請求項１から請求項１０のいずれかに記載の吸収性物品。
【発明の詳細な説明】
【技術分野】
【０００１】
本発明は、使い捨ておむつ、母乳パッド及び生理用ナプキン等の吸収性物品に関する。
【背景技術】
【０００２】
吸収性物品の肌対向面側から視認可能な着色部を有する吸収性物品が提供されている（例えば、特許文献１参照）。特許文献１の吸収性物品の着色部は、少なくとも二つの色調（例えば、第１色調と第２色調）を有する。着用者は、吸収性物品の肌対向面を視認した際に、少なくとも二つの色調を認識する。特許文献１には、着用者が二つの色調の作用によって深みのある知覚を得て、着用者が吸収性物品の機能が強化された印象を得ることが記載されている。
【先行技術文献】
【特許文献】
【０００３】
【特許文献１】特表２００５−５１２６８２号公報
【発明の概要】
【発明が解決しようとする課題】
【０００４】
特許文献１の吸収性物品によれば、例えば、着用者が吸収性物品の機能が強化された印象や、柔らかく肌に優しい印象を受けることが考えられる。しかし、特許文献１の吸収性物品は、吸収性能に対する視覚効果について考慮されていなかった。
【０００５】
本発明は、上述の課題に鑑みてなされたものであり、吸収性物品の肌対向面の視覚効果によって、着用者が吸収性物品の吸収性能を把握することができる吸収性物品を提供することを目的とする。
【課題を解決するための手段】
【０００６】
本開示に係る吸収性物品（使い捨ておむつ１０）は、吸収材料を有する吸収コア（吸収コア４０ａ）と、前記吸収コアの肌対向面側に配置される第１肌面シート（コアラップ４０ｂ）と、前記第１肌面シートの肌対向面側に配置される第２肌面シート（トップシート５０）と、を備える吸収性物品であって、前記第２肌面シートは、低目付部（低目付部５１）と、前記低目付部よりも目付が高い高目付部（高目付部５２）と、を有し、前記低目付部と前記高目付部は、第１方向（長手方向Ｌ）に沿ってそれぞれ延び、前記第１方向と直交する第２方向（幅方向Ｗ）に交互に配置されており、前記第１肌面シートは、前記吸収性物品の肌対向面側から視認可能な着色部（着色部８０）を有し、前記着色部は、前記第１方向において間隔を空けて配置され、かつ前記第２方向において間隔を空けて配置されており、前記着色部の前記第２方向の長さ（Ｌ５３２）は、前記低目付部の前記第２方向の長さ（Ｌ５１２）と前記高目付部の前記第２方向の長さ（Ｌ５２２）とを合わせた合計長さよりも短く、前記着色部と前記低目付部とが重なる第１領域（第１領域Ｒ１）と、前記着色部と前記高目付部とが重なる第２領域（第２領域Ｒ２）と、を有することを要旨とする。
【発明の効果】
【０００７】
本開示によれば、吸収性物品の肌対向面の視覚効果によって、着用者が吸収性物品の吸収性能を把握することができる吸収性物品を提供することができる。
【図面の簡単な説明】
【０００８】
【図１】一実施形態における吸収性物品の展開平面図である。
【図２】図１のＡ−Ａ線に沿った吸収性物品の断面図である。
【図３】図１に示す吸収性物品の一部を拡大した拡大平面図である。
【図４】図３のＢ−Ｂ線に沿った断面図である。
【図５】変形例１に係る吸収性物品の平面図である。
【図６】図５のＣ−Ｃ線に沿った断面図である。
【図７】変形例２から変形例４に係る吸収性物品の吸収体の平面図である。
【発明を実施するための形態】
【０００９】
本明細書及び添付図面の記載により、少なくとも以下の事項が明らかとなる。
吸収材料を有する吸収コアと、
前記吸収コアの肌対向面側に配置される第１肌面シートと、
前記第１肌面シートの肌対向面側に配置される第２肌面シートと、を備える吸収性物品であって、
前記第２肌面シートは、低目付部と、前記低目付部よりも目付が高い高目付部と、を有し、
前記低目付部と前記高目付部は、第１方向に沿ってそれぞれ延び、前記第１方向と直交する第２方向に交互に配置されており、
前記第１肌面シートは、前記吸収性物品の肌対向面側から視認可能な複数の着色部を有し、
前記着色部は、前記第１方向において間隔を空けて配置され、かつ前記第２方向において間隔を空けて配置されており、
前記着色部の前記第２方向の長さは、前記低目付部の前記第２方向の長さと前記高目付部の前記第２方向の長さとを合わせた合計長さよりも短く、
前記着色部と前記低目付部とが重なる第１領域と、前記着色部と前記高目付部とが重なる第２領域と、を有する、吸収性物品。
【００１０】
このような吸収性物品によれば、着用者は、第２肌面シートを介して第１肌面シートの着色部を視認する。着色部は、第１方向において間隔を空けて配置され、かつ第２方向において間隔を空けて配置されており、非連続的に配置される。着色部は、低目付部と重なる第１領域では目立ち、高目付部と重なる第２領域では目立たず、第２肌面シートによって着色部が見え隠れするような視覚効果を発揮する。着用者は見え隠れする非連続的に配置された着色部を視認することにより、着色部が開口である印象、及び開口によって体液の引き込み性が高い印象を受ける。
【００１１】
また、着色部が配置された領域と、着色部が配置されていない領域とは、着色部の有無による濃淡が生じる。加えて、低目付部が配置された領域と、高目付部が配置された領域は、目付の違いによる濃淡が生じる。吸収性物品の肌対向面には、低目付部及び着色部と重なる第１領域、低目付部と重なるが、着色部と重ならない第３領域、高目付部及び着色部と重なる第２領域、及び高目付部と重なるが、着色部に重ならない第４領域が設けられる。これらの４つの領域によって吸収性物品の肌対向面に濃淡が生じ、第２肌面シートの立体感が目立ちやすくなる。着用者は、第２肌面シートが体液を引き込み易い印象を持ち、吸収性が高い印象を受ける。このような吸収性物品の肌対向面の視覚効果によって、着用者が吸収性物品の吸収性能を把握することができる。
【００１２】
かかる吸収性物品であって、
前記高目付部は、前記吸収性物品の厚さ方向に突出する凸部を構成し、
前記低目付部は、前記厚さ方向に窪んでいる凹部を構成することが望ましい。
【００１３】
このような吸収性物品によれば、凹部を構成する低目付部は、凸部を構成する高目付部よりも第１肌面シートに近く、着色部が見え易い。そのため、凸部に重なる着色部と凹部に重なる着色部との見え方の差が顕著になり、着色部の見え方の違いによって凹部と凸部の立体感を目立たせることができる。着用者は、体液の引き込み易い凹部を認識し易くなり、吸収性物品の吸収性能をより把握し易くなる。
【００１４】
かかる吸収性物品であって、
前記低目付部の前記第２方向の長さは、前記着色部の前記第２方向の間隔よりも長いことが望ましい。
【００１５】
このような吸収性物品によれば、低目付部の第２方向の長さが着色部の第２方向の間隔よりも長いため、第１肌面シートと第２肌面シートの位置がずれた場合であってもいずれかの着色部が低目付部に重なって配置される。そのため、着用者は、低目付部を介して比較的目立つ着色部を視認でき、第２肌面シートの凹部をより把握し易くなり、吸収性物品の吸収性能をより認識し易くなる。
【００１６】
かかる吸収性物品であって、
前記低目付部の前記第２方向の長さは、前記着色部の前記第２方向の長さよりも長いことが望ましい。
【００１７】
このような吸収性物品によれば、着色部の第２方向の全長が低目付部内に配置されることによって、低目付部内で着色部の輪郭が目立ち易くなる。低目付部内に着色部の輪郭による陰影が生じ、第２肌面シートがより立体的になる。着用者は、第２肌面シートをより立体的に感じ、着用者が吸収性能をより把握し易くなる。
【００１８】
かかる吸収性物品であって、
前記着色部の前記第１方向の長さは、前記着色部の前記第２方向の長さよりも長いことが望ましい。
【００１９】
このような吸収性物品によれば、着色部は、第１方向に沿って延びる形状となる。また、低目付部及び高目付部も、第１方向に沿って延びる形状である。着色部が低目付部及び高目付部と同じ方向に延びる形状であるため、着色部の陰影が低目付部及び高目付部に沿う陰を構成する。第２肌面シートの凹部及び凸部による立体感が増し、着用者が吸収性能をより把握し易くなる。
【００２０】
かかる吸収性物品であって、
前記着色部の前記第２方向の長さは、前記着色部の前記第２方向の間隔よりも短いことが望ましい。
【００２１】
このような吸収性物品によれば、幅方向に沿う仮想線上において、着色部が配置されていない長さ（着色部間の領域）は、着色部が配置されている長さ（着色部の幅方向の長さ）よりも長くなる。着色部が配置されて比較的濃い部分よりも着色部が配置されずに比較的薄い部分の占める範囲が多くなり、第２肌面シートがより近くに配置されるような視覚効果、及び第２肌面シートの嵩が高いような視覚効果を発揮する。着用者は、第２肌面シートをより立体感に感じ、吸収性能をより把握し易くなる。
【００２２】
かかる吸収性物品であって、
前記第２肌面シートを構成する繊維の配向方向は、前記第１方向に沿うことが望ましい。
【００２３】
このような吸収性物品によれば、第２肌面シートの繊維は、低目付部及び高目付部の延びる方向と平行に配向されているため、繊維の延びる方向に対して着色部が輪郭となって影を形成する。そのため、低目付部による凹部及び高目付部による凸部の立体感がより増し、着用者が吸収性能をより把握し易くなる。
【００２４】
かかる吸収性物品であって、
前記複数の着色部は、前記吸収性物品の平面方向において千鳥状に配置されていることが望ましい。
【００２５】
このような吸収性物品によれば、複数の着色部が千鳥状に配置されているため、着色部がそれぞれ目立ちやすくなる。着用者は、個々の着色部として認識し易く、開口が複数設けられているような印象を受け易くなる。このような吸収性物品の肌対向面の視覚効果によって、着用者が吸収性物品の吸収性能をより把握することができる。
【００２６】
かかる吸収性物品であって、
前記低目付部における前記第２肌面シートを構成する繊維の分布は、均一でなく、むらがあることが望ましい。
【００２７】
このような吸収性物品によれば、低目付部を介した着色部の見え方が一様でなく、変化する。そのため、着用者は、着色部に濃淡が付されたように見える。着用者は、着色部が単一な模様や図柄として見えるのではなく、着色部が非均一に散在して見え、着色部を擬似的な開口として認識し易くなる。
【００２８】
＝＝＝本実施の形態に係る吸収性物品について＝＝＝
次に、本発明に係る使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００２９】
（１）使い捨ておむつの全体概略構成
図１は、本実施形態に係る使い捨ておむつ１０の展開平面図である。図２は、図１に示したＡ−Ａ線に沿った使い捨ておむつ１０の断面図である。図１に示す展開平面図は、使い捨ておむつを構成する肌面シートとしてのトップシート５０及びサイドシート７０等の皺が形成されない状態まで、レッグ伸縮部７５及び漏防カフの弾性部材７７を伸長させた状態の図である。
【００３０】
使い捨ておむつ１０は、前胴回り域２０と、股下域２５と、後胴回り域３０と、を有する。前胴回り域２０は、着用者の前胴回り部（腹部分）と接する部分である。また、後胴回り域３０は、着用者の後胴回り部（背部分）と接する部分である。股下域２５は、前胴回り域２０と後胴回り域３０との間に位置し、脚回り開口部３５が設けられる領域である。脚回り開口部３５は、使い捨ておむつの外側縁に設けられており、使い捨ておむつが着用者に着用された状態で着用者の脚回りに沿って配置される部分である。なお、外側縁は、幅方向の外側端であり、内側縁は、幅方向の内側端である。
【００３１】
なお、本実施形態では、前胴回り域２０から後胴回り域３０に向かう方向を長手方向Ｌと呼び、長手方向Ｌと直交する方向を幅方向Ｗと呼ぶ。使い捨ておむつ１０は、吸収コア４０ａと、吸収コア４０ａの肌対向面側Ｔ１に配置される肌面シートと、吸収コア４０ａの非肌対向面側Ｔ２に配置される非肌面シートと、を少なくとも備える。
【００３２】
吸収コア４０ａは、股下域２５を跨ぎ、前胴回り域２０及び後胴回り域３０に延びる。吸収コア４０ａは、従来の使い捨ておむつと同様の材料によって構成でき、粉砕パルプや高吸収ポリマーなど、公知の部材や材料を用いて適宜構成することができる。
【００３３】
肌面シートは、コアラップ４０ｂ、トップシート５０及びサイドシート７０を含む。本実施の形態のコアラップ４０ｂは、第１肌面シートを構成し、トップシート５０は、第２肌面シートを構成する。
【００３４】
コアラップ４０ｂは、吸収コア４０ａを被覆するシートである。コアラップ４０ｂは、透液性を有する各種の繊維不織布もしくはティッシュによって構成される。コアラップ４０ｂは、吸収性物品の肌対向面側から視認可能な着色部８０を有する。着色部８０については、後述にて詳細に説明する。
【００３５】
トップシート５０は、不織布や織物などの液透過性のシートによって形成される。トップシート５０は、着用者の肌に当接するシートである。トップシート５０は、白色であり、目付が６０ｇ／ｍ２以下の不織布を用いることができる。トップシート５０については、後述にて詳細に説明する。
【００３６】
サイドシート７０は、トップシート５０の外側縁を覆い、トップシート５０よりも幅方向外側に延出する。サイドシート７０は、不織布によって構成される。サイドシート７０の内側縁は、幅方向外側に折り返されており、２層のサイドシート７０間に前後方向に伸縮する弾性部材７７が配置される。サイドシート７０と弾性部材７７とは、漏防カフを構成する。
【００３７】
非肌面シートは、少なくともバックシート６０ａと外装シート６０を有する。バックシート６０ａは、液不透過性を有し、吸収コア４０ａ及びコアラップ４０ｂの非肌対向面側に配置される。外装シート６０は、バックシート６０ａの非肌対向面側に配置される。
【００３８】
サイドシート７０には、ファスニングテープ９０が備えられる。ファスニングテープ９０は、後胴回り域３０において、幅方向Ｗに沿って延び、前胴回り域２０のターゲット部９５に止着されることにより、使い捨ておむつ１０を着用者の身体に保持する。ターゲット部９５は、一対のファスニングテープ９０がそれぞれ止着するように構成されている。
【００３９】
吸収体４０の幅方向の外側には、脚回り開口部３５の周囲に形成され、長手方向Ｌに伸縮可能なレッグ伸縮部７５が備えられる。レッグ伸縮部７５の幅方向の内側には、漏防カフが配置される。
【００４０】
（２）トップシートの構成
次いで、図３及び図４に基づいてトップシート５０の構成について詳細に説明する。図３は、図１に示す吸収性物品の一部を拡大した平面図である。図４は、図３のＢ−Ｂ線に沿った断面図である。トップシート５０は、低目付部５１と高目付部５２を有する。低目付部５１は、トップシートを構成する不織布の繊維の目付が高目付部５２よりも低い。低目付部５１は、トップシート５０の繊維の平均目付よりも繊維の目付が低い部分であり、高目付部５２は、トップシート５０の繊維の平均目付よりも繊維の目付が高い部分である。低目付部５１が配置された領域は、後述する着色部８０を着用者が視認し易い領域となる。
【００４１】
低目付部５１及び高目付部５２は、それぞれ長手方向Ｌに延びている。低目付部５１は、幅方向に間隔を空けて配置され、高目付部５２は、幅方向に間隔を空けて配置されている。低目付部５１と高目付部５２は、幅方向Ｗにおいて交互に配置される。本実施の形態では、長手方向Ｌが第１方向であり、幅方向Ｗが第２方向である。なお、本実施の形態において「長手方向に沿って延びる」とは、少なくとも長手方向に一定の範囲を有する構成であればよく、長手方向に対して傾斜しつつ長手方向に延びる構成も含むものである。
【００４２】
第１肌面シートとしてのコアラップ４０ｂは、吸収性物品の肌対向面側から視認可能な着色部８０を有するため、着用者は、第２肌面シートとしてのトップシート５０を介して着色部８０を視認する。例えば、トップシート５０が低目付部５１と高目付部５２を有しない構成にあっては、コアラップ４０ｂの着色部８０がシート全体に亘って同一の印象を与え易い。そのため、着用者は、着色部８０をシート全体に渡って配置される模様として認識し易い。
【００４３】
トップシート５０が低目付部５１と高目付部５２を有することにより、着色部８０がシート全体に亘って同一の印象を与え難い。比較的目付が高い高目付部５２は、低目付部５１と比較して、光を通し難い。低目付部５１は、高目付部５２と比較して光を通し易い。そのため、着色部８０は、第１領域（低目付部５１と重なる領域）では目立ち、第２領域（高目付部５２と重なる領域）では、目立たない。よって、着用者は、第１領域の着色部８０を比較的濃く認識し、第２領域の着色部を比較的薄く認識し、又は第２領域の着色部を認識しない。すなわち、着用者は、第１領域と第２領域とで異なる印象を受ける。
【００４４】
着用者は、着色部８０の一部の見え方が異なることにより、着色部８０をシート全体に渡って配置される模様として認識し難い。このように異なる印象を与える着色部８０は、第１方向である長手方向において間隔を空けて配置され、かつ第２方向である幅方向において間隔を空けて配置されている。着色部８０は、第１領域と第２領域において見え方が異なり、トップシートによって見え隠れする。着用者は見え隠れする複数の非連続的に配置された着色部８０を視認することにより、着色部８０が開口である印象、及び開口によって体液の引き込み性が高い印象を受ける。
【００４５】
また、着色部８０が配置された領域と、着色部８０が配置されていない領域とは、着色部８０の有無による濃淡が生じる。すなわち、吸収性物品の肌対向面には、低目付部５１及び着色部８０と重なる第１領域、低目付部５１と重なるが、着色部８０と重ならない第３領域、高目付部５２及び着色部８０と重なる第２領域、及び高目付部５２と重なるが、着色部８０に重ならない第４領域が設けられる。これらの４つの領域によって吸収性物品の肌対向面に濃淡が生じ、トップシート５０の立体感が目立ちやすくなる。着用者は、トップシート５０を立体的に感じることにより、トップシート５０が体液を引き込み易く、吸収性を高く感じる。吸収性物品の肌対向面の視覚効果によって、着用者が吸収性物品の吸収性能を把握することができる。
【００４６】
低目付部５１の厚みＴ５１は、高目付部５２の厚みＴ５２よりも薄く構成されていてよい。詳細には、高目付部５２は、吸収性物品の厚さ方向に突出する凸部を構成し、低目付部５１は、厚さ方向に窪んでいる凹部を構成してよい。トップシートは、凸部からなる畝と凹部からなる溝を有する畝溝構造である。凹部を構成する低目付部５１の密度は、凸部を構成する高目付部５２の密度よりも高い。このような構成によれば、凸部（高目付部５２）と凹部（低目付部５１）に密度差が発生する。この密度差によって体液が高目付部５２の凸部から低目付部５１の凹部へ素早く移行する。そのため、トップシートの凹部によって体液を引き込み易くなり、吸収性を高めることができる。
【００４７】
また、凹部を構成する低目付部５１の肌対向面は、凸部を構成する高目付部５２の肌対向面よりも第１肌面シートに近く、着色部８０が見え易い。そのため、凸部に重なる着色部８０と凹部に重なる着色部８０との見え方が異なり、着色部８０の見え方の違いにより、凹部と凸部の立体感を目立たせることができる。着用者は、体液の引き込み易い凹部を認識し易くなり、吸収性物品の吸収性能をより把握し易くなる。
【００４８】
なお、凸部の厚みおよび凹部の厚みは以下のようにして測定できる。ここで、凸部の厚みとは凸部の頂部における厚みであり、凹部の厚みとは凹部の最も深い部分の厚みである。
（i）カッターナイフ（コクヨ製、ＨＡ−１００Ｂ、ＨＡ−ＮＢ用の標準替え刃）を使用して、厚さ測定用の繊維不織布片を幅方向に平行に裁断し、その繊維不織布片に幅方向に平行する観測用切断面を作る。その後に、その繊維不織布片の表面を水平面の上に載せ、キーエンスデジタルマイクロスコープＶＨＸ−１００を用いて観測用断面の２５倍の写真を得る。
（ii）断面写真を画像処理ソフトであるスカラ（株）製画像解析ソフトＵＳＢデジタルで処理して、画像を二値化する。そのときに、閾値＝５０に設定する。二値化した画像について二値画像形状解析の演算方法「穴埋め」を選択し、次に対象色「白」を選択して処理する。さらに二値画像形状解析の演算方法「穴埋め」を選択し、次に対象色「黒」を選択して処理する。処理の終わった画像では、ステープル繊維の集団である白島部からその外へ飛び出して毛羽状を呈しているステープル繊維を消して、毛羽立ちのない幅方向断面の修正写真を得る。
（iii）修正写真において、凸条部の頂点からサンプルを設置している水平面に対しての距離を凸部の厚さとする。
（iv）水平面に直交して、凹条部の底部の点から、サンプルを設置している水平面に対しての距離を凹部の厚さとする。
【００４９】
また、シートの目付は、例えば、以下の測定方法によって測定することができる。目付を測定するシートの面積及び重量を測定し、重量と面積とに基づいて目付を算出する。当該測定方法によってシートの平均目付を測定することができる。また、高目付部と低目付部の目付は、シートの高目付部のみを切り出すと共に低目付部のみを切り出し、当該切り出した部分を用いて測定できる。また、高目付部と低目付部の境界は、着色部の見え方の違いによって把握することができる。具体的には、着色部が濃く見える部分が低目付部であり、着色部が薄く見える部分が高目付部となる。
【００５０】
低目付部５１の幅方向の長さＬ５１２は、高目付部５２の幅方向の長さＬ５２２と同じであってもよいし、高目付部５２の幅方向の長さＬ５２２と異なっていてもよい。低目付部５１の幅方向の長さＬ５１２は、着色部８０の幅方向の間隔Ｄ８０２より長くてよい。低目付部５１の幅方向の長さが着色部８０の幅方向Ｗの間隔よりも長いことにより、第１肌面シートと第２肌面シートの位置がずれた場合であっても、いずれの低目付部５１も着色部８０が重なって配置される。そのため、吸収性物品の肌対向面に着色部８０の濃淡が設けられ、第２肌面シートの立体感がより目立ちやすくなる。着用者は、第２肌面シートの凹部を把握し易くなり、吸収性を認識し易くなる。また、低目付部５１の幅方向の長さＬ５１２は、着色部８０の幅方向の長さＬ８０２よりも長くてよい。着色部８０の幅方向の全長が低目付部５１内に配置されることにより、低目付部５１内で着色部の輪郭が目立ち、低目付部内に陰影が生じ、第２肌面シートがより立体的になる。着用者は、第２肌面シートをより立体的に感じ、吸収性能を認識し易くなる。
【００５１】
トップシート５０の繊維の配向方向は、第１方向である長手方向Ｌに沿ってよい。トップシート５０の繊維の配向方向は、低目付部５１が延びる方向に沿い、かつ高目付部５２が延びる方向に沿っていてよい。低目付部５１及び高目付部５２は、長手方向に沿って延びる形状であり、トップシートの繊維が低目付部５１及び高目付部５２に平行に配置されるため、繊維の延びる方向に対して着色部８０が輪郭となって影を形成できる。そのため、繊維の配向方向に延びる凹部及び凸部の立体感が増し、着用者が吸収性能をより把握し易くなる。
【００５２】
トップシート５０の繊維の密度は、厚み方向Ｔにおいて一定であってもよいし、トップシート５０の非肌対向面側の密度がトップシート５０の肌対向面側の密度よりも高くてもよい。トップシート５０の非肌対向面側Ｔ２の密度がトップシート５０の肌対向面側Ｔ１の密度よりも高い構成にあっては、肌対向面側から非肌対向面側に体液が引き込まれ易くなる。体液は、密度が低い領域から密度が高い領域に引き込まれ、密度差が大きいほど、体液が引き込まれ易くなる。トップシート５０の繊維の密度が厚み方向において一定の構成にあっては、トップシート５０の非肌対向面側に位置するコアラップ４０ｂに対する密度差が大きい領域における体液の引き込み性が高くなる。
【００５３】
低目付部５１におけるトップシート５０を構成する繊維の分布は、均一でなく、むらがある。すなわち、低目付部５１は、地合いむらがある。当該地合いむらは、低目付部５１を介して視認する着色部８０の見え方が異なるように構成されていればよい。低目付部５１内に繊維のむらがあることにより、低目付部５１を介した着色部８０の見え方が一様でなく、変化する。そのため、着用者は、着色部８０そのままを見るのではなく、着色部８０に濃淡が付されたように見える。着用者は、着色部８０が単一な模様や図柄として見えるのではなく、着色部８０が非均一に散在して見え、着色部８０を擬似的な開口として認識し易くなる。
【００５４】
（３）着色部の構成
着色部８０は、第１肌面シートを構成するコアラップ４０ｂの肌対向面に設けられる。着色部８０は、使い捨ておむつの肌対向面から視認可能に構成されており、トップシート５０を介して視認される。なお、トップシート５０とコアラップ４０ｂの間に補助シート等のシート材が配置される構成等、着色部８０の肌対向面側に複数のシート材が配置される構成にあっては、着色部８０は、着色部８０の肌対向面側に配置される複数のシート材を介して視認される。
【００５５】
着色部８０は、吸収コアの肌対向面側に位置するコアラップ４０ｂの全体に亘って非連続的に配列される。着色部８０は、コアラップ４０ｂの少なくとも一部に配置されていればよい。着色部８０は、長手方向Ｌにおいて間隔を空けて配置され、かつ幅方向Ｗに間隔を空けて配置される。複数の着色部は、前記吸収性物品の平面方向において千鳥状に配置されている。複数の着色部８０が千鳥状に配置されていることにより、着色部８０がそれぞれ目立ちやすくなる。着用者は、個々の着色部８０として認識し易く、開口が複数設けられているような印象を受け易くなる。
【００５６】
着色部８０の長手方向の長さＬ８０１は、着色部８０の幅方向の長さＬ８０２よりも長い。着色部８０は、第１方向に沿って延びる形状となる。また、低目付部５１及び高目付部５２も、第１方向に沿って延びる形状である。着色部８０が低目付部５１及び高目付部５２と同じ方向に延びるため、着色部８０の陰影が低目付部５１等に沿う陰を構成する。第２肌面シートの凹部及び凸部による立体感が増し、着用者が吸収性能をより把握し易くなる。着色部８０の形状は、平面視において長方形である。本実施の形態の着色部８０の長辺は、長手方向Ｌに沿っており、短辺は、幅方向Ｗに沿っている。着色部８０は、低目付部５１及び高目付部５２とともに、長手方向Ｌに延びる形状である。着色部８０の幅方向の間隔Ｄ８０２は、着色部８０の長手方向の間隔Ｄ８０１よりも長く、着色部８０の幅方向の長さＬ８０２よりも長い。着色部８０の幅方向の間隔Ｄ８０２が着色部８０の長手方向の間隔Ｄ８０１よりも長いことにより、着色部が長手方向に延びる印象となり、着色部の陰影が低目付部５１等に沿う陰を構成するような視覚効果を発揮し易い。着色部８０は、破線状に配置される。なお、着色部８０は、一点鎖線状や二点鎖線状に配置されていてもよい。また、着色部８０の平面視の形状は、長方形に限定されず、正方形や円形であってもよい。
【００５７】
着色部８０の幅方向の長さＬ８０２は、低目付部５１の幅方向の長さＬ５１２と高目付部５２の幅方向の長さＬ５２２とを合わせた合計長さよりも短い。着色部の幅方向の長さが合計長さよりも短いため、着用者は、着色部をシート全体に渡って配置される模様としてではなく、シートに散在する開口のように認識し易く、開口のような視覚効果を発揮できる。着色部８０の幅方向の長さＬ８０２は、低目付部の１ピッチの長さＰ５１よりも短い。着色部８０の幅方向の長さＬ８０２は、低目付部５１の幅方向の長さＬ５１２よりも短くてよく、０．１ｍｍ以上０．５ｍｍ以下であることが好ましい。着色部８０の幅方向の長さが０．１ｍｍ未満であると、着色部８０が小さい（細い）ため、着用者が視認し難くなる。また、着色部８０の幅方向の長さが０．５ｍｍよりも長いと、着色部８０が比較的大きい（太い）ため、後述する陰影のような視覚効果を発揮し難い。
【００５８】
着色部８０の幅方向の長さＬ８０２は、着色部８０の幅方向の間隔Ｄ８０２よりも短くてよい。幅方向に沿う仮想線上において、着色部８０が配置されていない長さ（着色部８０間の領域）は、着色部８０が配置されている長さ（着色部８０の幅方向の長さ）よりも長い。着色部８０が配置されて濃い部分よりも着色部８０が配置されず薄い部分の占める範囲が多くなることにより、着用者は、よりトップシートを近くに感じる。着用者は、トップシートの嵩が高い印象を受け、トップシートの立体感をより感じ、吸収性能をより把握し易くなる。着色部８０の幅方向の長さは、合計長さに対する１／５０以上かつ合計長さに対する１／４以下であってよく、より好適には、合計長さに対する１／６以上かつ合計長さに対する１／８以下であることが好ましい。着色部８０の幅方向の全域が一列の低目付部５１内に納まることにより、一列の低目付部５１内において着色部８０の長手方向に延びる輪郭が際立つ。着用者は、着色部８０の輪郭が目立つことにより、着色部８０を開口としてより認識し易くなり、体液の引き込み性が高い印象を受ける。
【００５９】
着色部８０の幅方向の間隔Ｄ８０２は、低目付部５１の幅方向の間隔Ｄ５１２と異なり、かつ高目付部５２の幅方向の間隔Ｄ５２２と異なる。使い捨ておむつの肌対向面には、着色部８０と低目付部５１とが重なる第１領域Ｒ１と、着色部８０と高目付部５２とが重なる第２領域と、着色部８０が設けられずに低目付部５１が配置される第３領域Ｒ３と、着色部８０が設けられずに高目付部５２が配置される第４領域Ｒ４と、が設けられる。図３の拡大平面図において、第１領域Ｒ１、第２領域Ｒ２、第３領域Ｒ３及び第４領域Ｒ４に異なる斜線を付して示す。
【００６０】
着用者は、第３領域Ｒ３及び第４領域Ｒ４において着色部８０を視認せず、第１領域Ｒ１及び第２領域Ｒ２において着色部８０を視認する。また、着用者は、第１領域Ｒ１においては、低目付部５１を介して着色部８０を視認するため、着色部８０が比較的濃い印象を受ける。一方、着用者は、第２領域Ｒ２においては、高目付部５２を介して着色部８０を視認するため、着色部８０が比較的薄い印象を受ける。比較的目付が高い高目付部５２は、低目付部５１と比較して、光を通し難い。低目付部５１は、高目付部５２と比較して光を通し易い。そのため、着色部８０は、第１領域（低目付部５１と重なる領域）では目立ち、第２領域（高目付部５２と重なる領域）では、目立たない。よって、着用者は、第１領域の着色部８０を比較的濃く認識し、第２領域の着色部を比較的薄く認識し、又は第２領域の着色部を認識しない。すなわち、着色部８０は、シート全体に亘って同一の印象を与え難く、着用者は、第１領域と第２領域とで異なる印象を受ける。着用者は、着色部８０の一部の見え方が異なることにより、着色部８０をシート全体に渡って配置される模様として認識し難い。
【００６１】
また、着色部８０が設けられる第１肌面シートは、不織布よりもティッシュの方が好ましい。ティッシュは、不織布に比べて繊維間の隙間が少なく、着色部８０をより鮮明に示すことができる。
【００６２】
着色部８０の色は、特に限定されず、原色、原色よりも薄い色、及び当該薄い色と原色との混合色を用いることができる。また、着色部８０の色は、第１肌面シートの色に応じて適宜設定される。例えば、第１肌面シートが白色以外の場合には、着色部８０は、第１肌面シートの色と同系色であって、第１肌面シートの色よりも濃いことが好ましい。第１肌面シートの色と着色部８０の色とが同系色で、且つ着色部８０の色が濃いため、着色部８０による陰影がより強調され、第２肌面シートの立体感をより目立たせることができる。着色部８０は、インク等の印刷やホットメルト型接着剤の塗布によって設けることができる。
【００６３】
（４）変形例に係る吸収性物品
次いで、図５及び図６に基づいて変形例１に係る吸収性物品について説明する。なお、変形例の説明において実施形態と同様の構成については同符号を用いて説明を省略する。変形例に係る吸収性物品は、母乳パッドである。母乳パッド１０Ａは、吸収コア４０ａと、第１肌面シートとしての第１コアラップ４０ｂ１及び第２コアラップ４０ｂ２と、第２肌面シートとしてのトップシート５０と、を有する。母乳パッド１０Ａの、外装シートの外側縁は、幅方向内側に折り返され、当該外装シート間に弾性部材７８が配置されている。当該弾性部材７８の伸縮方向を長手方向Ｌと、長手方向と直交する方向を幅方向Ｗとする。
【００６４】
第１コアラップ４０ｂ１は、吸収コア４０ａの肌対向面のみを覆い、吸収コア４０ａの外側縁及び吸収コア４０ａの非肌対向面を覆わない。第１コアラップ４０ｂ１の外側縁は、吸収コア４０ａの外側縁よりも幅方向内側に位置する。第２コアラップ４０ｂ２は、吸収コア４０ａの非肌対向面を覆い、当該吸収コアの非肌対向面から肌対向面側に延出し、吸収コア４０ａの肌対向面の一部を覆う。第２コアラップ４０ｂ２は、第１コアラップ４０ｂ１の外側縁を覆う。
【００６５】
着色部８０は、第１コアラップ４０ｂ１と第２コアラップ４０ｂ２のそれぞれに設けられる。着色部８０は、第１コアラップ４０ｂ１の全面に亘って配置される。着色部８０は、第２コアラップの展開状態における外側縁から幅方向に延びる一定領域に配置されず、当該一定領域以外の領域に配置される。図６に、第２コアラップにおいて着色部が配置される着色領域Ｒ５と、第２コアラップにおいて着色部が配置されない非着色領域Ｒ６と、に異なるハッチングを付して示す。なお、図５及び図６においては、図面の便宜上、着色部を省略して示すが、着色部８０は、第１コアラップ４０ｂ１の肌対向面及び第２コアラップ４０ｂ２の肌対向面に設けられている。
【００６６】
着用者が非肌対向面側から母乳パッドを視認すると、第１コアラップと第２コアラップの着色領域とが重なった領域Ｘと、第１コアラップと第２コアラップの非着色領域とが重なった領域Ｙと、第１コアラップが配置され、第２コアラップが配置されていない領域Ｚと、を視認する。図５に、領域Ｘ、領域Ｙ及び領域Ｚに異なる斜線を付して示す。領域Ｘは、２層の着色部８０が重なっているため、着色部８０が濃く、かつ奥行きがあるような視覚効果を発揮する。領域Ｚは、トップシート５０のみを介して着色部８０が視認されるため、着色部８０が濃く、かつ奥行きが少ないような視覚効果を発揮する。領域Ｙは、１層の着色部８０のみが配置され、トップシート５０と第２コアラップ４０ｂ２を介して着色部８０が視認されるため、着色部８０が薄く、かつ奥行きが少ないような視覚効果を発揮する。このように２層の第１肌面シートを設けることにより、着色部８０の見え方のパターンが多くなり、着色部８０の見え方の変化による陰影効果をより発揮できる。
【００６７】
次いで、図７に基づいて変形例２から変形例４に係る吸収性物品の吸収体について説明する。図７（ａ）〜（ｃ）は、吸収体の平面図である。変形例２から変形例４に係る吸収性物品１０Ｂ〜１０Ｄは、着色部８０の配列パターンが異なる複数の領域を有するように構成されている。変形例２から変形例４に係る吸収体は、吸収コア４０ａと、コアラップ４０ｂと、を有し、コアラップが第１肌面シートとして機能する。変形例２〜変形例４に係る吸収性物品は、第１方向が長手方向であり、第２方向が幅方向である。変形例２〜変形例４に係る吸収体は、幅方向中央に位置する中央域ＣＲと、中央域ＣＲの幅方向両側に位置する側方域ＳＲと、を有する。中央域ＣＲの着色部８０の配列パターンと側方域ＳＲの着色部８０の配列パターンは異なる。
【００６８】
図７（ａ）に示すように、変形例２に係る吸収体の着色部８０の長手方向の長さは、中央域ＣＲと側方域ＳＲで同じである。着色部８０の長手方向の間隔は、中央域ＣＲと側方域ＳＲで同じである。着色部８０の幅方向の長さは、中央域ＣＲと側方域ＳＲで同じである。着色部８０の幅方向の間隔は、中央域ＣＲが側方域ＳＲよりも短い。中央域ＣＲの着色部８０の面密度（単位面積当たりの面積率）は、側方域ＳＲの着色部８０の面密度よりも高い。
【００６９】
図７（ｂ）に示すように、変形例３に係る吸収体の着色部８０の長手方向の長さは、中央域ＣＲが側方域ＳＲよりも短い。中央域ＣＲの着色部８０の長手方向の間隔は、側方域ＳＲの着色部８０の長手方向の間隔よりも短い。着色部８０の幅方向の長さは、中央域ＣＲと側方域ＳＲで同じである。着色部８０の幅方向の間隔は、中央域ＣＲと側方域ＳＲで同じである。中央域の着色部８０の面密度（単位面積当たりの面積率）は、側方域の着色部８０の面密度よりも高い。
【００７０】
図７（ｃ）に示すように、変形例２に係る吸収体の着色部８０の長手方向の長さは、中央域ＣＲと側方域ＳＲで同じである。着色部８０の長手方向の間隔は、中央域ＣＲと側方域ＳＲで同じである。着色部８０の幅方向の長さは、中央域ＣＲが側方域ＳＲよりも長い。着色部８０の幅方向の間隔は、中央域ＣＲと側方域ＳＲで同じである。中央域ＣＲの着色部８０の面密度（単位面積当たりの面積率）は、側方域ＳＲの着色部８０の面密度よりも高い。
【００７１】
変形例２、変形例３及び変形例４に係る吸収性物品は、中央域ＣＲの着色部８０の面密度（単位面積当たりの面積率）が、側方域ＳＲの着色部８０の面密度よりも高いため、中央域ＣＲに開口が多く形成されているような視覚効果を発揮できる。吸収体の幅方向中央は、排泄口と対向する位置である。着用者は、中央域ＣＲに開口が多く配置され、中央域ＣＲの吸収性能が高いように認識することで、安心感が高まる。
【００７２】
（５）その他の実施形態
上述の実施形態では、第１方向が長手方向であり、第２方向が幅方向の形態である。しかし、本発明に係る吸収性物品は、第１方向が幅方向であり、第２方向が長手方向である実施形態を含むものである。第１方向が幅方向であり、第２方向が長手方向である実施形態では、低目付部５１の延びる方向、高目付部５２の延びる方向、着色部の長辺、及び第２肌面シートの繊維の配向方向は、幅方向である。
【００７３】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【００７４】
１０，１０Ａ、１０Ｂ、１０Ｃ、１０Ｄ    ：吸収性物品
２０            ：前胴回り域
２５            ：股下域
３０            ：後胴回り域
４０            ：吸収体
４０ａ          ：吸収コア
４０ｂ          ：コアラップ（第１肌面シート）
５０            ：トップシート（第２肌面シート）
５１            ：低目付部
５２            ：高目付部
６０            ：外装シート
６０ａ          ：バックシート
７０            ：サイドシート
８０            ：着色部
９０            ：ファスニングテープ
９５            ：ターゲット部
Ｌ              ：長手方向（第１方向）
Ｔ              ：厚み方向
Ｗ              ：幅方向（第２方向）
Ｒ１            ：第１領域
Ｒ２            ：第２領域
【要約】
【課題】吸収性物品の肌対向面の視覚効果によって、着用者が吸収性物品の吸収性能を把握することができる吸収性物品を提供する。
【解決手段】使い捨ておむつ１０は、吸収コアと、吸収コアの肌対向面側に配置されるコアラップと、コアラップの肌対向面側に配置されるトップシート５０と、を備える。トップシート５０は、低目付部５１と、高目付部５２と、を有する。低目付部と記高目付部は、長手方向Ｌに沿ってそれぞれ延び、幅方向Ｗに交互に配置されている。コアラップは、吸収性物品の肌対向面側から視認可能な着色部８０を有する。着色部は、長手方向において間隔を空けて配置され、かつ幅方向において間隔を空けて配置されている。着色部の幅方向の長さＬ５３２は、低目付部の幅方向の長さＬ５１２と高目付部の幅方向の長さＬ５２２とを合わせた合計長さよりも短い。使い捨ておむつは、着色部と低目付部とが重なる第１領域Ｒ１と、着色部と高目付部とが重なる第２領域Ｒ２と、を有する。
【選択図】図３【図１】
0006055074.tif 000002
【図２】
0006055074.tif 000003
【図３】
0006055074.tif 000004
【図４】
0006055074.tif 000005
【図５】
0006055074.tif 000006
【図６】
0006055074.tif 000007
【図７】
0006055074.tif 000008